【手続補正書】
【提出日】平成30年7月13日(2018.7.13)
【手続補正１】
【補正対象書類名】特許請求の範囲
【補正対象項目名】全文
【補正方法】変更
【補正の内容】
【特許請求の範囲】
【請求項１】
駆動源により駆動されて外形が拡大、縮小する可動部材を有する遊技機において、
前記可動部材には、
ベース部と、
前記ベース部に前側から重ねられ、前記駆動源からの動力を受けて前記ベース部に対して前後方向に移動する中央進退部と、
前記中央進退部の回りに複数配置され、前記中央進退部が前記ベース部から最も離れた前進位置に配置されたときに収縮姿勢となる一方、前記中央進退部が前記ベース部に最も近づく後退位置に配置されたときに前記収縮姿勢よりも前後方向に薄く且つ前記中央進退部の外側に突出した拡張姿勢となる拡縮変形部と、が備えられ、
前記拡縮変形部は、前記拡張姿勢では、前記中央進退部から側方に張り出す一方、前記収縮姿勢では、前記中央進退部に引き寄せられるように折れ曲がり、
前記拡縮変形部には、前記ベース部に回動可能に連結されると共にその回動中心から前記中央進退部から遠ざかる側に張り出した内側回動部材と、前記内側回動部材の張出方向における先端部に回動可能に連結されて前記中央進退部から遠ざかる側に張り出した外側回動部材と、が備えられ、
前記可動部材には、前記中央進退部と前記内側回動部材とに回動可能に連結されて前記中央進退部からの動力を前記内側回動部材に伝達する中継部材が設けられ、
前記ベース部には、前記中央進退部から後側に突出する後方シャフトを直動可能に支持する直動支持孔が形成されると共に、
前記可動部材には、前記外側回動部材の張出方向における先端部を前記ベース部の前面に沿って前記直動支持孔の径方向に案内する直動ガイドが設けられたことを特徴とする遊技機。
【請求項２】
前記中継部材は、前記中央進退部が前記前進位置に配置されたときには、前記中央進退部の後側に位置して前記内側回動部材の張出方向における先端部を前記中央進退部側へ引き寄せる一方、前記中央進退部が前記後退位置に配置されたときには、前記中央進退部から側方に突出して前記内側回動部材の張出方向における先端部を前記中央進退部から遠ざかる側に押し出すことを特徴とする請求項１に記載の遊技機。
【請求項３】
前記拡縮変形部が前記収縮姿勢になったときに、複数の前記外側回動部材と前記中央進退部とが前記ベース部から前側に隆起したドーム体を構成し、前記内側回動部材と前記中継部材とが前記ドーム体の内側に収容されることを特徴とする請求項１又は２に記載の遊技機。
【請求項４】
前記可動部材は、前記中央進退部を中心にして回転可能に構成されたことを特徴とする請求項１乃至３のうち何れか１の請求項に記載の遊技機。
【請求項５】
前記可動部材は、前記ベース部の前面と平行な基準面に沿って第１位置と第２位置との間を移動し、
前記拡縮変形部は、前記可動部材が前記第１位置に配置されたときに前記収縮姿勢となる一方、前記可動部材が前記第２位置に配置されたときに前記拡張姿勢となることを特徴とする請求項１乃至４のうち何れか１の請求項に記載の遊技機。
【請求項６】
駆動源により駆動されて外形が拡大、縮小する可動部材を有する遊技機において、
前記可動部材には、
ベース部と、
前記ベース部に前側から重ねられ、前記駆動源からの動力を受けて前記ベース部に対して前後方向に移動する中央進退部と、
前記中央進退部の回りに複数配置され、前記中央進退部が前記ベース部から最も離れた前進位置に配置されたときに収縮姿勢となる一方、前記中央進退部が前記ベース部に最も近づく後退位置に配置されたときに前記収縮姿勢よりも前後方向に薄く且つ前記中央進退部の外側に突出した拡張姿勢となる拡縮変形部と、が備えられ、
前記拡縮変形部は、前記拡張姿勢では、前記中央進退部から側方に張り出す一方、前記収縮姿勢では、前記中央進退部に引き寄せられるように折れ曲がり、
前記拡縮変形部には、前記ベース部に回動可能に連結されると共にその回動中心から前記中央進退部から遠ざかる側に張り出した内側回動部材と、前記内側回動部材の張出方向における先端部に回動可能に連結されて前記中央進退部から遠ざかる側に張り出した外側回動部材と、が備えられ、
前記可動部材には、前記中央進退部と前記内側回動部材とに回動可能に連結されて前記中央進退部からの動力を前記内側回動部材に伝達する中継部材が設けられ、
前記中継部材は、前記中央進退部が前記前進位置に配置されたときには、前記中央進退部の後側に位置して前記内側回動部材の張出方向における先端部を前記中央進退部側へ引き寄せる一方、前記中央進退部が前記後退位置に配置されたときには、前記中央進退部から側方に突出して前記内側回動部材の張出方向における先端部を前記中央進退部から遠ざかる側に押し出すことを特徴とする遊技機。
【請求項７】
駆動源により駆動されて外形が拡大、縮小する可動部材を有する遊技機において、
前記可動部材には、
ベース部と、
前記ベース部に前側から重ねられ、前記駆動源からの動力を受けて前記ベース部に対して前後方向に移動する中央進退部と、
前記中央進退部の回りに複数配置され、前記中央進退部が前記ベース部から最も離れた前進位置に配置されたときに収縮姿勢となる一方、前記中央進退部が前記ベース部に最も近づく後退位置に配置されたときに前記収縮姿勢よりも前後方向に薄く且つ前記中央進退部の外側に突出した拡張姿勢となる拡縮変形部と、が備えられ、
前記拡縮変形部は、前記拡張姿勢では、前記中央進退部から側方に張り出す一方、前記収縮姿勢では、前記中央進退部に引き寄せられるように折れ曲がり、
前記拡縮変形部には、前記ベース部に回動可能に連結されると共にその回動中心から前記中央進退部から遠ざかる側に張り出した内側回動部材と、前記内側回動部材の張出方向における先端部に回動可能に連結されて前記中央進退部から遠ざかる側に張り出した外側回動部材と、が備えられ、
前記可動部材には、前記中央進退部と前記内側回動部材とに回動可能に連結されて前記中央進退部からの動力を前記内側回動部材に伝達する中継部材が設けられ、
前記拡縮変形部が前記収縮姿勢になったときに、複数の前記外側回動部材と前記中央進退部とが前記ベース部から前側に隆起したドーム体を構成し、前記内側回動部材と前記中継部材とが前記ドーム体の内側に収容されることを特徴とする遊技機。
【手続補正２】
【補正対象書類名】明細書
【補正対象項目名】００１３
【補正方法】変更
【補正の内容】
【００１３】
請求項５の発明は、前記可動部材は、前記ベース部の前面と平行な基準面に沿って第１位置と第２位置との間を移動し、前記拡縮変形部は、前記可動部材が前記第１位置に配置されたときに前記収縮姿勢となる一方、前記可動部材が前記第２位置に配置されたときに前記拡張姿勢となることを特徴とする請求項１乃至４のうち何れか１の請求項に記載の遊技機である。
請求項６の発明は、駆動源により駆動されて外形が拡大、縮小する可動部材を有する遊技機において、前記可動部材には、ベース部と、前記ベース部に前側から重ねられ、前記駆動源からの動力を受けて前記ベース部に対して前後方向に移動する中央進退部と、前記中央進退部の回りに複数配置され、前記中央進退部が前記ベース部から最も離れた前進位置に配置されたときに収縮姿勢となる一方、前記中央進退部が前記ベース部に最も近づく後退位置に配置されたときに前記収縮姿勢よりも前後方向に薄く且つ前記中央進退部の外側に突出した拡張姿勢となる拡縮変形部と、が備えられ、前記拡縮変形部は、前記拡張姿勢では、前記中央進退部から側方に張り出す一方、前記収縮姿勢では、前記中央進退部に引き寄せられるように折れ曲がり、前記拡縮変形部には、前記ベース部に回動可能に連結されると共にその回動中心から前記中央進退部から遠ざかる側に張り出した内側回動部材と、前記内側回動部材の張出方向における先端部に回動可能に連結されて前記中央進退部から遠ざかる側に張り出した外側回動部材と、が備えられ、前記可動部材には、前記中央進退部と前記内側回動部材とに回動可能に連結されて前記中央進退部からの動力を前記内側回動部材に伝達する中継部材が設けられ、前記中継部材は、前記中央進退部が前記前進位置に配置されたときには、前記中央進退部の後側に位置して前記内側回動部材の張出方向における先端部を前記中央進退部側へ引き寄せる一方、前記中央進退部が前記後退位置に配置されたときには、前記中央進退部から側方に突出して前記内側回動部材の張出方向における先端部を前記中央進退部から遠ざかる側に押し出すことを特徴とする遊技機である。
請求項７の発明は、駆動源により駆動されて外形が拡大、縮小する可動部材を有する遊技機において、前記可動部材には、ベース部と、前記ベース部に前側から重ねられ、前記駆動源からの動力を受けて前記ベース部に対して前後方向に移動する中央進退部と、前記中央進退部の回りに複数配置され、前記中央進退部が前記ベース部から最も離れた前進位置に配置されたときに収縮姿勢となる一方、前記中央進退部が前記ベース部に最も近づく後退位置に配置されたときに前記収縮姿勢よりも前後方向に薄く且つ前記中央進退部の外側に突出した拡張姿勢となる拡縮変形部と、が備えられ、前記拡縮変形部は、前記拡張姿勢では、前記中央進退部から側方に張り出す一方、前記収縮姿勢では、前記中央進退部に引き寄せられるように折れ曲がり、前記拡縮変形部には、前記ベース部に回動可能に連結されると共にその回動中心から前記中央進退部から遠ざかる側に張り出した内側回動部材と、前記内側回動部材の張出方向における先端部に回動可能に連結されて前記中央進退部から遠ざかる側に張り出した外側回動部材と、が備えられ、前記可動部材には、前記中央進退部と前記内側回動部材とに回動可能に連結されて前記中央進退部からの動力を前記内側回動部材に伝達する中継部材が設けられ、前記拡縮変形部が前記収縮姿勢になったときに、複数の前記外側回動部材と前記中央進退部とが前記ベース部から前側に隆起したドーム体を構成し、前記内側回動部材と前記中継部材とが前記ドーム体の内側に収容されることを特徴とする遊技機である。
【手続補正３】
【補正対象書類名】明細書
【補正対象項目名】００１９
【補正方法】変更
【補正の内容】
【００１９】
［請求項２，６の発明］
請求項２，６の発明によれば、中央進退部が前端位置に配置されると、中央進退部から内側回動部材へ動力を伝達する中継部材が、中央進退部の後側に配置されて内側回動部材を中央進退部側に引き寄せるので、縮小状態における可動部材の外形を小さくすることが可能となる。また、中央進退部が後端位置に配置されると、中継部材が、中央進退部から側方に張り出すことで、中央進退部の後端位置をベース部に接近させることが可能となるので、拡張状態における可動部材の外形を大きくすることが可能となる。このように、本発明によれば、拡張状態と縮小状態における可動部材の外形の差を大きくして、可動部材の拡縮にメリハリをつけることが可能となる。
【手続補正４】
【補正対象書類名】明細書
【補正対象項目名】００２０
【補正方法】変更
【補正の内容】
【００２０】
［請求項３，７の発明］
請求項３，７の発明によれば、可動部材の外形が縮小されたときに、複数の拡縮変形部と中央進退部とが一体に形成されている印象を遊技者に与えることが可能となる。